(57)【要約】【課題】窓等で侵入者への吹き付けを確実に行える防犯スプレーを実現する。【解決手段】中空筒体４１にその筒壁を貫通して多数の噴出孔４４を形成し、中空筒体４１と液貯め容器３５とを連通可能に接続し、液貯め容器３５と空気貯め容器３２とを連通可能に接続し、その連通路に開閉弁３４を介挿接続する。侵入口上等に中空筒体４１を取り付け、侵入者に感応・応動して開閉弁３４を作動させることにより、侵入口のほぼ全域に液が吹き付けられる。【選択図】　　　　図１
2004046690.tif 000002
【特許請求の範囲】
【請求項１】
筒壁を貫通して多数の噴出孔を形成した中空筒体と、これと連通可能に接続された液貯め容器と、これと連通可能に接続された空気貯め容器と、この空気貯め容器から前記液貯め容器への連通路を開閉する開閉弁とを備えた防犯スプレー。
【請求項２】
前記空気貯め容器の空気補充口または空気補充路に逆止弁が設けられていることを特徴とする請求項１記載の防犯スプレー。
【請求項３】
前記液貯め容器は前記中空筒体への連通路開口および前記空気貯め容器への連通路開口が何れも上側部分に形成されているものであることを特徴とする請求項１又は請求項２に記載された防犯スプレー。
【請求項４】
請求項１乃至請求項３の何れかに記載された防犯スプレーと、前記中空筒体が装着された枠体と、その枠内開口部の状態変化を検出して前記開閉弁を作動させる作動部材とを備えた窓枠。
【請求項５】
前記枠体に前記中空筒体が収納され、そこからの連通路が前記枠体の屋内側に達していることを特徴とする請求項４記載の窓枠。
【発明の詳細な説明】
【０００１】
【発明の属する技術分野】
この発明は、窓やドア等からの侵入者に液を噴霧するための防犯スプレー及び窓枠に関する。また、そのような防犯スプレーを装着した防犯スプレー付き窓枠に関する。
【０００２】
【従来の技術】
従来の防犯スプレーは、携帯用スプレー缶を利用した単一ノズルのものであり、撃退効果の向上や噴射飛距離の延伸のために溶液成分等に工夫がほどこされている。
【０００３】
【発明が解決しようとする課題】
しかしながら、このような従来の防犯スプレーでは、吹き付け範囲が狭いので、使用者が標的に狙いを定めてから噴射するようになっている。このため、窓やドアをこじ開けて侵入する不審者等に対して自動で液を吹き付けようとして、それに市販の防犯スプレーを採用した場合、自動照準装置でも付けないと、侵入者への確実な吹き付けは望めない。
そこで、そのような高価な装置等を付加しないでも窓等の侵入口のほぼ全面に液を噴霧することができるよう、さらには窓やドア付近に取り付け易いよう、噴霧部形状等を工夫することが技術的な課題となる。
【０００４】
この発明は、このような課題を解決するためになされたものであり、窓等で侵入者への吹き付けを確実に行える防犯スプレーを実現することを目的とする。
また、本発明は、窓からの侵入者に液を確実に吹き付ける防犯スプレー付き窓枠を実現することも目的とする。
【０００５】
【課題を解決するための手段】
このような課題を解決するために発明された第１乃至第５の解決手段について、その構成および作用効果を以下に説明する。第１〜第３の解決手段は防犯スプレー単独であり、第４〜第５の解決手段は防犯スプレーを組み合わせた窓枠に関する。
【０００６】
［第１の解決手段］
第１の解決手段の防犯スプレーは、出願当初の請求項１に記載の如く、中空筒体と液貯め容器と空気貯め容器と開閉弁とを備えたものであって、前記中空筒体にその筒壁を貫通して多数の噴出孔が形成されており、前記中空筒体と前記液貯め容器とが直に又は間接的に接続されて連通可能になっており、前記液貯め容器と前記空気貯め容器とが直に又は間接的に接続されて連通可能になっており、、前記開閉弁が前記空気貯め容器から前記液貯め容器への連通路を開閉するようになっている、というものである。
【０００７】
このような第１の解決手段の防犯スプレーにあっては、設置時に、窓やドアなど侵入口になるうるところの上や脇などに中空筒体が取り付けられるとともに、そこからの侵入者に感応・応動して開閉弁を作動させるセンサやスイッチ等も付設される。その際、噴出孔が侵入口を向くように中空筒体が取り付けられる。そして、応動可能な状態となったところに、侵入者が来ると、それに応動して、開閉弁が連通路を開き、空気貯め容器から吹き出た空気が液貯め容器へ供給され、そこで液が空気の流れに巻き込まれ、さらに、その液の混じった空気が中空筒体の噴出孔から侵入口に向けて吹き出す。
【０００８】
これにより、多数の噴出孔から一斉に液が噴霧されて、侵入口のほぼ全域に液が届くので、狙いを定めるまでも無く、侵入者に対して確実に液が吹き付けられる。しかも、中空筒体は、棒状で窓枠の一辺等に取付容易なうえ、安価な管材を利用して製造でき、噴出孔の形成も穿孔等にて容易かつ低廉に行える。
したがって、この発明によれば、窓等で侵入者への吹き付けを確実に行える防犯スプレーを実現することができる。
【０００９】
［第２の解決手段］
第２の解決手段の防犯スプレーは、出願当初の請求項２に記載の如く、上記の第１の解決手段の防犯スプレーであって、前記空気貯め容器の空気補充口または空気補充路に逆止弁が設けられている、というものである。
【００１０】
このような第２の解決手段の防犯スプレーにあっては、空気補充口から圧縮空気注入具を外しても空気補充口から空気の漏れるおそれが無い。そのため、人力駆動の自転車用空気入れでも、それを必要に応じて着脱することで、空気貯め容器への圧縮空気の補充が行える。
これにより、電動エアポンプ等の動力源が有ればもちろんのこと、そのような特別な動力源が無くても、簡便かつ安価に空気の補充が行えることとなる。
したがって、この発明によれば、窓等での侵入者への吹き付けが確実なうえ空気補充が容易な防犯スプレーを実現することができる。
【００１１】
［第３の解決手段］
第３の解決手段の防犯スプレーは、出願当初の請求項３に記載の如く、上記の第１，第２の解決手段の防犯スプレーであって、前記液貯め容器から前記中空筒体へ至る連通路の端部開口のうち前記液貯め容器側の連通路開口、前記液貯め容器から前記空気貯め容器へ至る連通路の端部開口のうち前記液貯め容器側の連通路開口、これら２つの連通路開口が何れも前記液貯め容器の上側部分に形成されている、というものである。
【００１２】
このような第３の解決手段の防犯スプレーにあっては、液貯め容器に液を入れるとき液面が何れの連通路開口よりも下にとどまるように液量が調整される。そうすると、空気貯め容器から液貯め容器へ流れる空気が急流かつ大量であれば、液貯め容器から液が巻き上げられるが、空気流が微弱なものであれば、その空気は、液貯め容器の液を巻き込むことなく、単に液面上方を通過する。
【００１３】
これにより、開閉弁に漏れが有ってもその空気れが少量であれば、それに起因する液漏れのおそれが無く、気密性を高めるといった対策も要らないので、開閉弁や空気貯め容器がコストの掛からない簡素なもので足りることとなる。
したがって、この発明によれば、窓等で侵入者への吹き付けを確実に行える防犯スプレーを安価に実現することができる。
【００１４】
［第４の解決手段］
第４の解決手段の防犯スプレー付き窓枠は、出願当初の請求項４に記載の如く、上記の第１〜第３の解決手段のうち何れかの防犯スプレーと、前記中空筒体が装着された枠体と、その枠内開口部の状態変化を検出して前記開閉弁を作動させる作動部材とを備えたものである。
【００１５】
このような第４の解決手段の防犯スプレー付き窓枠にあっては、枠内開口部から屋内に侵入しようとする者がいると、それが検出されて、開閉弁が開き、枠内開口部のほぼ全域に液が一斉噴霧される。
したがって、この発明によれば、窓からの侵入者に液を確実に吹き付ける防犯スプレー付き窓枠を実現することができる。
【００１６】
［第５の解決手段］
第５の解決手段の防犯スプレー付き窓枠は、出願当初の請求項５に記載の如く、上記の第４の解決手段の防犯スプレー付き窓枠であって、前記枠体に前記中空筒体が収納され、そこからの連通路が直に又は前記液貯め容器や空気貯め容器を経て間接的に前記枠体の屋内側に達している、というものである。
【００１７】
このような第５の解決手段の防犯スプレー付き窓枠にあっては、中空筒体が枠体に収納されて目に付きにくくなるうえ、液貯め容器や空気貯め容器が枠体に収納されるか屋内に設置されるかして屋外からは消える。
これにより、侵入者の手の届き難いところに防犯スプレーが設置されることとなる。窓の外観を損ねることも無い。
したがって、この発明によれば、窓からの侵入者に液を確実に吹き付ける防犯スプレー付き窓枠であって屋外露出の少ないものを実現することができる。
【００１８】
【発明の実施の形態】
このような解決手段で達成された本発明の防犯スプレー及び窓枠について、これを実施するための具体的な形態を、以下の第１〜第５実施例により説明する。
図１に示した第１実施例は、上述した第１，第２の解決手段を具現化したものであり、図２に示した第２実施例は、その応用例である。また、図３に示した第３実施例は、上述した第３，第４の解決手段を具現化したものである。さらに、図４に示した第４実施例、及び図５に示した第５実施例は、上述した第５の解決手段を具現化したものである。
【００１９】
【第１実施例】
本発明の第１実施例である防犯スプレーについて、その具体的な構成を、図面を引用して説明する。図１（ａ）は、装置全体の記号図であり、図１（ｂ）は、そのうちの中空筒体の断面図である。
【００２０】
この防犯スプレー１０は、大別して制御部２０と供給部３０と噴霧部４０とからなる。その制御部２０には、検出手段２１と判定手段２２と電池２３とが設けられ、供給部３０には、補充口部材３１付きの空気貯め容器３２と作動部材３３付きの開閉弁３４と液貯め容器３５とが設けられ、噴霧部４０には端材４２付きの中空筒体４１が設けられている。それらのうち、補充口部材３１と空気貯め容器３２と開閉弁３４と液貯め容器３５と中空筒体４１は、順に連通可能に接続されて、途中の弁体等を総て開ければ一繋がりの連通路を形成するようになっている。
【００２１】
詳述すると、検出手段２１は、不審者の侵入という異常状態を検出しうるものであれば良く、例えば接触式のメカニカルスイッチや振動センサーでも、非接触式の光センサーやガスセンサーでも良い。
判定手段２２は、この例では電池２３から電力を供給されて動作する電子回路で具体化され、検出手段２１から異常検出信号を受けたときや、検出手段２１の出力レベルが所定の閾値を超えたときに、作動部材３３へ駆動電流を出力するようになっている。
【００２２】
空気貯め容器３２は、金属等の丈夫な密閉容器からなり、１ＭＰａ以上の圧力に耐えるようになっている。その容量は、０．５〜１．５Ｌ程度であり、１Ｌが典型的である。空気貯め容器３２には、器壁を貫通して２つの通気口が形成されている。一方の通気口は、空気を圧縮注入して補充するための補充口であり、ここにはチェック弁を組み込んだ補充口部材３１が装着されている。他方の通気口は、開閉弁３４を経て液貯め容器３５に至る連通路の端部開口である。
開閉弁３４は、空気貯め容器３２から液貯め容器３５への連通路を開閉できれば、市販の空気圧用電磁弁を採用しても良く、それより簡素なものでも良いが、いずれにしても、電磁石等からなる作動部材３３が制御部２０から駆動電流を供給されて作動すると、開状態になって連通路を導通させるようになっている。
【００２３】
液貯め容器３５は、金属等の丈夫な密閉容器からなり、１ＭＰａ以上の圧力に耐え、０．１〜０．２Ｌ程度の容量を持つ。これにも、器壁を貫通して２つの通気口が形成されている。一方の通気口は、上述した開閉弁３４を経て空気貯め容器３２に至る連通路の端部開口であり、他方の通気口は、中空筒体４１の中空路４３に至る連通路の端部開口である。
中空筒体４１は、金属パイプ等の丈夫な直管または曲管からなり、典型的には外径が６ｍｍで内径が４ｍｍのステンレススチールパイプやアルミニウムパイプを数十ｃｍ〜数ｍの適宜長さに切断したものである。これには、多数の噴出孔４４が等ピッチで又は不等ピッチで一列に形成されている。噴出孔４４は何れも直径０．５〜１ｍｍ程度の小孔で、キリ加工や打ち抜き加工により筒壁を貫通して穿孔形成されている。中空筒体４１の中空路４３は、一端が液貯め容器３５に連通し、他端が栓状の端材４２にて塞がれている。
【００２４】
この第１実施例の防犯スプレーについて、その使用態様及び動作を説明する。
【００２５】
使用に先だって防犯スプレー１０を侵入口たとえば勝手口に設置しておくが、その際、中空筒体４１は横にして勝手口の上辺枠に取り付けられ、噴出孔４４は下向きにされる。検出手段２１は勝手口のドアに臨んで設けられる。空気貯め容器３２や，液貯め容器３５は、勝手口の近くで出入りの邪魔にならないところに設置される。液貯め容器３５には、ブラックライトの照射で光る蛍光塗料液が充填され、空気貯め容器３２には、エアポンプ等を用いて補充口部材３１のところから圧縮空気が注入される。こうして、防犯スプレー１０が使用可能になる。
【００２６】
そして、外出時や就寝時には防犯のため勝手口ドアに施錠しておく。そうすると、施錠状態であるにも拘わらずドアが壊されたり無理に開けられたりすると、そのことが検出手段２１によって検出され、それに制御部２０及び作動部材３３が応じて開閉弁３４を開ける。開閉弁３４が閉状態から開状態になると、空気貯め容器３２に圧縮して貯め込まれていた空気が、勢い良く流れ出して、開閉弁３４，液貯め容器３５，中空筒体４１を通過する。その際、液貯め容器３５に収められていた塗料液も空気流に巻き込まれて一緒に中空筒体４１へ流れる。
【００２７】
中空筒体４１で、液混じり空気流は、中空路４３によって噴出孔４４へ導かれ、多数の噴出孔４４に分かれて噴出する。そのとき、液は、霧状になって、広がりながらドア上から下方へ進み、勝手口のほぼ全域を覆い尽くす。そのため、勝手口に侵入者が居れば、確実に、その侵入者に塗料液が吹き付けられる。
その吹き付けに驚いて侵入者が逃げたときでも、侵入者は頭から全身に液を浴びて身体や衣服に塗料が付着しており、ブラックライト等を照射すると光るので、簡単に特定できて、犯人逮捕にも役立つ。
【００２８】
【第２実施例】
本発明の第２実施例である防犯スプレーについて、その具体的な構成を、図面を引用して説明する。図２（ａ）は、装置全体の断面図である。
【００２９】
この防犯スプレー１０は、上述した第１実施例のものを一本の棒状に纏めたものであり、補充口部材３１と空気貯め容器３２と液貯め容器３５と中空筒体４１とが、その順に、互いの貫通穴を合わせた状態で、連結されている。連結は、溶接等で固定的に行っても、締結やネジ止め等にて分離可能に行っても良い
補充口部材３１はチェック弁が空気貯め容器３２の内部に納まるような状態で空気貯め容器３２の一方の端面（図では左側）に取り付けられ、その反対側の端面（図では中央寄り）に液貯め容器３５が直付けされている。
【００３０】
開閉弁３４は、弁体を空気貯め容器３２内に納めて、弁座を空気貯め容器３２に兼ねさせることで、小形化と原価低減とを図っている。すなわち、空気貯め容器３２の内部に弁体を納め、それで通常は連通路の端部開口を塞いでおき、液貯め容器３５と並べて空気貯め容器３２の端面に装着した作動部材３３の作動にて弁体を動かして連通路の端部開口を開くようになっている。
検出手段２１と判定手段２２と電池２３も、液貯め容器３５と並んで空気貯め容器３２の端面に装着されている。
中空筒体４１は、液貯め容器３５から直に、空気貯め容器３２の反対側（図では右側）へ延び、先端が端材４２にて塞がれている。なお、図では、端材４２が蓋状になっているが、上述したような栓状でも良い。
【００３１】
この第２実施例の防犯スプレーについて、その使用態様及び動作を、図面を引用して説明する。図２は、（ｂ）が空気を入れているところ、（ｃ）が車両に装着したところ、（ｄ）が噴霧しているところの外観図である。
【００３２】
この場合、自転車用の空気入れ７にて空気貯め容器３２に空気が圧縮注入され（図２（ｂ）参照）、液貯め容器３５に図示しない注ぎ口から蛍光塗料液が充填されると、防犯スプレー１０が使用可能になる。
それから、使用時に、防犯スプレー１０は、現金輸送車等の車両８の後部ドア上等に横向きで装着される（図２（ｃ）参照）。そのとき、噴出孔４４が下向きにされるとともに、検出手段２１の動作モード等の設定がロック中のドアの開きに感応して異常を検出するようにされる。
【００３３】
そして、車両８のドアがこじ開けられると、そのことが検出手段２１によって検出され、後は第１実施例のときと同様に開閉弁３４が開く等して、ドア開口部を覆い尽くしながら塗料液が噴霧される（図２（ｄ）参照）。
こうして、この場合も、ドアをこじ開けた侵入者には頭から全身に塗料が浴びせられる。
【００３４】
【第３実施例】
本発明の第３実施例である防犯スプレー及び窓枠について、その具体的な構成を、図面を引用して説明する。図３は、（ａ）が液貯め容器の縦断面図、（ｂ）が防犯スプレーを装着した窓枠の外観図、（ｃ）がその要部の拡大断面図である。
この防犯スプレー１０が上述した第２実施例のものと相違するのは、液貯め容器３５及びその連通路が改造されている点と、噴霧部４０が窓枠５０に装着されている点である。
【００３５】
液貯め容器３５は（図３（ａ）参照）、上述したような塗料等の噴霧液１１が貯留空間３５ａから蒸発して噴霧部４０経由で外へ流れ出るのを防止するために、貯留空間３５ａの上方に蓋３５ｄが付加されている。また、液貯め容器３５から空気貯め容器３２へ至る連通路がビニールチューブ等の可撓管３６にて形成されるとともに、その端部開口のうち液貯め容器３５側の連通路開口３５ｂが貯留空間３５ａの上側部分に形成されている。さらに、液貯め容器３５から中空筒体４１へ至る連通路がやはりビニールチューブ等の可撓管３７にて形成されるとともに、その端部開口のうち液貯め容器３５側の連通路開口３５ｃが貯留空間３５ａの上方に形成されている。
【００３６】
窓枠５０は（図３（ｂ），（ｃ）参照）、アルミサッシ等の枠体５１と、その窓枠内開口部に装着された内戸５４，外戸５３，網戸５２とからなり、その枠体５１に防犯スプレー１０の噴霧部４０が装着されている。噴霧部４０は外戸５３等と干渉しないよう枠体５１上辺の溝５１ａに収納されている。そこから延びる可撓管３７も、外戸５３等と干渉しないよう、枠体５１側辺の溝底等を這ってから枠外へ出ている。その先に連なる液貯め容器３５や，可撓管３６，空気貯め容器３２は、窓枠５０の近くの壁面等に取り付けられる。
【００３７】
また、図示は割愛したが、光センサー等からなる検出手段が窓枠５０の隅部等に設置され、その検出方向が網戸５２や外戸５３の外面に向けられる。そして、その枠内開口部の状態が大きく変化すると、例えば人体によって光が遮られると、それが検出され、その検出に応じて開閉弁３４の作動部材３３が駆動されるようになっている。
さらに、中空筒体４１に形成されている多数の噴出孔４４のうち何れか一つ又は複数に、小形の笛が差し込んで装着されている。
【００３８】
この場合、噴霧液１１を液貯め容器３５に充填するとき、噴霧液１１の液面が連通路開口３５ｂより下に止まるようにする。
そして、不審者が屋内に侵入しようとして窓枠５０に近づき、それが異常状態として検出されると、その不審者に噴霧液１１が吹き付けられる。それと同時に笛も鳴るので、不審者は驚いて退散することとなる。
こうして、窓からの侵入が未然に防止される。また、この場合、開閉弁３４に漏れが生じても、それが僅かな量であれば、噴霧液１１の上方を静かに通過するので、噴霧液１１が泡立つといった不都合も無い。
【００３９】
【第４実施例】
図４に要部の拡大断面図を示した本発明の防犯スプレー付き窓枠が上述した第３実施例のものと相違するのは、枠体５１の上辺部分に屋内側から貫通穴５５が穿孔形成されている点と、枠体５１の溝５１ａに収納された中空筒体４１から延びる可撓管３７が貫通穴５５を挿通して枠体５１の屋内側に達している点である。
【００４０】
この場合、液貯め容器３５や空気貯め容器３２を屋内に設置することができるので、液貯め容器３５や空気貯め容器３２が侵入者に見つかって外されるという心配が無い。
しかも、貫通穴５５を現場で追加工することで、容易に、既設の窓枠５０に防犯スプレー１０を隠蔽設置することができる。
【００４１】
【第５実施例】
図５に要部の拡大断面図を示した本発明の防犯スプレー付き窓枠が上述した第４実施例のものと相違するのは、中空筒体４１からの連通路が直接でなく間接的に枠体５１の屋内側に達している点である。
具体的には、中空筒体４１に加えて液貯め容器３５も枠体５１の溝５１ａに収納され、その隣の溝に空気貯め容器３２の半分が収納され、更にその隣の溝に空気貯め容器３２の残り半分が収納され、枠体５１の屋内側に補充口部材３１が装着されている。それらが収納時に側面の貫通穴を枠体５１の貫通穴に位置合わせされて連通することで、中空筒体４１からの連通路が液貯め容器３５と空気貯め容器３２を経て屋内側に達する。
【００４２】
この場合、小さな補充口部材３１を除いて防犯スプレー１０が枠体５１に収納されるので、防犯スプレー１０の隠蔽度が向上する。
【００４３】
【その他】
なお、上記の各実施例では、制御部２０を電子回路で具体化し作動部材３３を電磁石等にて具体化したが、検出手段や作動部材は、これに限られるものでなく、例えばメカニカルなリンク機構でも良い。
また、中空筒体４１に付設した端材４２は、無くても良い。例えば、中空筒体４１の一端を潰しても良く、可撓管３７を分岐させて中空筒体４１の両端に接続しても良い。
さらに、噴霧液は、上述した塗料液に限らず、例えば、香水でも良く、辛子等を混入しても良く、識別情報を織り込んだ化学物質を含ませるのも良い。
また、中空筒体４１の窓枠等への取付は、接着剤やネジ止めにて確実に固定するのも良く、あるいは着脱容易にすべく、紐で吊り下げたり、バネで突っ張らせせたり、ゴムの圧入にて押さえたりするのも良い。溶接や圧着等にて中空筒体と枠体５１とを一体化しても良い。
【００４４】
【発明の効果】
以上の説明から明らかなように、本発明の第１の解決手段の防犯スプレーにあっては、窓枠等への取付に適した中空筒体にて多数の噴出孔から一斉に液を吹き付けるようにしたことにより、窓等で侵入者への吹き付けを確実に行える防犯スプレーを実現することができたという有利な効果が有る。
【００４５】
また、本発明の第２の解決手段の防犯スプレーにあっては、自転車用空気入れでも空気補充が行えるようにしたことにより、窓等での侵入者への吹き付けが確実なうえ空気補充が容易な防犯スプレーを実現することができたという有利な効果を奏する。
【００４６】
さらに、本発明の第３の解決手段の防犯スプレーにあっては、液貯め容器から漏れた空気が液を巻き込まないよう液貯め容器を工夫したことにより、窓等で侵入者への吹き付けを確実に行える防犯スプレーを安価に実現することができたという有利な効果が有る。
【００４７】
また、本発明の第４の解決手段の防犯スプレー付き窓枠にあっては、窓枠への取付に適した中空筒体にて多数の噴出孔から一斉に液を吹き付けるようにしたことにより、窓からの侵入者に液を確実に吹き付ける防犯スプレー付き窓枠を実現することができたという有利な効果を奏する。
【００４８】
また、本発明の第５の解決手段の防犯スプレー付き窓枠にあっては、中空筒体は枠体に容器は屋内等に設置されるようにしたことにより、窓からの侵入者に液を確実に吹き付ける防犯スプレー付き窓枠であって屋外露出の少ないものを実現することができたという有利な効果が有る。
【図面の簡単な説明】
【図１】本発明の第１実施例の防犯スプレーについて、（ａ）が記号図、（ｂ）が中空筒体の断面図である。
【図２】本発明の第２実施例の防犯スプレーについて、（ａ）が断面図、（ｂ）が空気を入れているところ、（ｃ）が車両に装着したところ、（ｄ）が噴霧しているところの外観図である。
【図３】本発明の第３実施例の防犯スプレーについて、（ａ）が液貯め容器の縦断面図、（ｂ）が防犯スプレーを装着した窓枠の外観図、（ｃ）がその要部の拡大断面図である。
【図４】本発明の第４実施例の防犯スプレー付き窓枠について、要部の拡大断面図である。
【図５】本発明の第５実施例の防犯スプレー付き窓枠について、要部の拡大断面図である。
【符号の説明】
７…空気入れ、８…車両
１０…防犯スプレー、１１…噴霧液
２０…制御部、２１…検出手段、２２…判定手段、２３…電池
３０…供給部
３１…補充口部材、３２…空気貯め容器、３３…作動部材、３４…開閉弁
３５…液貯め容器、３５ａ…貯留空間、３５ｂ…連通路開口
３５ｃ…連通路開口、３５ｄ…蓋、３６…可撓管、３７…可撓管
４０…噴霧部、４１…中空筒体、４２…端材、４３…中空路、４４…噴出孔
５０…窓枠、５１…枠体、５１ａ…溝、５２…網戸（枠内開口部装着物）
５３…外戸（枠内開口部装着物）、５４…内戸（枠内開口部装着物）
【図１】
2004046690.tif 000003
【図２】
2004046690.tif 000004
【図３】
2004046690.tif 000005
【図４】
2004046690.tif 000006
【図５】
2004046690.tif 000007